(57)【要約】【課題】部品コストの増加及び大型化を抑制しつつ、種々の状態を検出可能とすること。【解決手段】電子機器は、相互に係合し相対的に可動する一対の筐体と、一方の上記筐体に装備された磁力を検出する磁気センサと、当該磁気センサに対応して他方の上記筐体に装備された磁力を発生する磁石と、を備え、上記磁気センサにて検出した上記磁力の強度に基づいて、上記筐体の３種以上の状態を判別する状態判別手段を備えた。【選択図】図７
2010081138.tif 000002
【特許請求の範囲】
【請求項１】
相互に係合し相対的に可動する一対の筐体と、一方の前記筐体に装備された磁力を検出する磁気センサと、当該磁気センサに対応して他方の前記筐体に装備された磁力を発生する磁石と、を備え、
前記磁気センサにて検出した前記磁力の強度に基づいて、前記筐体の３種以上の状態を判別する状態判別手段を備えた、
ことを特徴とする電子機器。
【請求項２】
予め設定された前記筐体の３種以上の各状態にそれぞれ対応する各磁力の強度値を、前記筐体の各状態を判別するための各状態判別基準データとして記憶する状態判別基準記憶手段を備え、
前記状態判別手段は、前記各状態判別基準データと、前記磁気センサにて検出した前記磁力の強度と、に基づいて、前記筐体の状態を判別する、
ことを特徴とする請求項１記載の電子機器。
【請求項３】
前記各状態判別基準データは、前記筐体の各状態にそれぞれ対応する各磁力の強度値をそれぞれ含むそれぞれ所定の範囲を有する値であり、
前記状態判別手段は、前記磁気センサにて検出した前記磁力の強度が、前記各状態判別基準データの所定の範囲内にあるにあるか否かによって、前記筐体の状態を判別する、
ことを特徴とする請求項２記載の電子機器。
【請求項４】
前記筐体の３種以上の各状態時に前記磁気センサにてそれぞれ測定した各磁力の強度値を、前記筐体の各状態における前記各状態判別基準データとして前記状態判別基準記憶手段に記憶する状態判別基準設定手段を備えた、
ことを特徴とする請求項２又は３記載の電子機器。
【請求項５】
前記筐体の３種以上の各状態時に前記磁気センサにてそれぞれ測定した各磁力の強度値をそれぞれ含む各所定の範囲を有する値を、前記筐体の各状態における前記各状態判別基準データとして前記状態判別基準記憶手段に記憶する状態判別基準設定手段を備えた、
ことを特徴とする請求項３記載の電子機器。
【請求項６】
前記状態判別手段による判別結果に応じて、前記筐体に装備された表示部の表示動作を制御する表示制御手段を備えた、
ことを特徴とする請求項１，２，３，４又は５記載の電子機器。
【請求項７】
前記状態判別手段は、前記一対の筐体が可動することによって変化する当該一対の筐体の姿勢状態を判別する、
ことを特徴とする請求項１，２，３，４，５又は６記載の電子機器。
【請求項８】
前記磁気センサと前記磁石とは、これらの距離が前記筐体の各姿勢状態毎に異なるよう前記筐体にそれぞれ配置されている、
ことを特徴とする請求項７記載の電子機器。
【請求項９】
前記一対の筐体は、相互に積層された状態の閉状態と、当該閉状態から前記筐体の一辺方向に沿って相互にスライドした第一方向スライド状態と、前記閉状態から前記筐体の前記一辺とは垂直方向に沿って相互にスライドした第二方向スライド状態と、前記筐体の所定の辺に沿った軸を中心として相互に回転して開いた開状態と、の姿勢状態を取るよう構成されており、
前記状態判別手段は、前記磁気センサにて検出した前記磁力の強度に基づいて前記筐体が、前記開状態、前記第一方向スライド状態、前記第二方向スライド状態、前記開状態のいずれの姿勢状態であるかを判別する、
ことを特徴とする請求項７又は８記載の電子機器。
【請求項１０】
前記一対の筐体が各姿勢状態の時に、前記磁気センサにて検出した磁力の強度値がそれぞれ異なるよう、別の磁石を前記他の筐体に設けた、
ことを特徴とする請求項７，８又は９記載の電子機器。
【請求項１１】
請求項１乃至１０記載の電子機器と、この電子機器と係合される係合部材を備え、
前記係合部材に、前記電子機器との係合時に前記磁気センサにて磁力を検出可能な他の磁石を設けた、
ことを特徴とする電子機器ユニット。
【請求項１２】
前記係合部材は、前記電子機器の筐体に装着され当該筐体表面を覆うカバー部材である、
ことを特徴とする請求項１１記載の電子機器ユニット。
【請求項１３】
前記カバー部材は、当該カバー部材毎に当該カバー部材に設ける前記磁石の位置が異なる、
ことを特徴とする請求項１２記載の電子機器ユニット。
【請求項１４】
前記係合部材は、前記電子機器に接続される充電器である、
ことを特徴とする請求項１１，１２又は１３記載の電子機器ユニット。
【請求項１５】
相互に係合し相対的に可動する一対の筐体と、一方の前記筐体に装備された磁力を検出する磁気センサと、当該磁気センサに対応して他方の前記筐体に装備された磁力を発生する磁石と、を備え、
前記磁気センサにて検出した前記磁力の強度に基づいて、前記筐体の３種以上の状態を判別する状態判別手段を備えた、
ことを特徴とする携帯型情報処理端末。
【請求項１６】
相互に係合し相対的に可動する一対の筐体と、一方の前記筐体に装備された磁力を検出する磁気センサと、当該磁気センサに対応して他方の前記筐体に装備された磁力を発生する磁石と、を備えた電子機器に装備された演算装置に、
前記磁気センサにて検出した前記磁力の強度に基づいて、前記筐体の３種以上の状態を判別する状態判別手段、
を実現させるためのプログラム。
【請求項１７】
前記状態判別手段は、予め設定された前記筐体の３種以上の各状態にそれぞれ対応する各磁力の強度値と、前記磁気センサにて検出した前記磁力の強度と、に基づいて、前記筐体の状態を判別する、
ことを特徴とする請求項１６記載のプログラム。
【請求項１８】
相互に係合し相対的に可動する一対の筐体と、一方の前記筐体に装備された磁力を検出する磁気センサと、当該磁気センサに対応して他方の前記筐体に装備された磁力を発生する磁石と、を備えた電子機器にて、
前記磁気センサにて磁力の強度を検出する磁力検出工程と、当該検出した前記磁力の強度に基づいて前記筐体の３種以上の状態を判別する状態判別工程と、
を有することを特徴とする電子機器の状態判別方法。
【請求項１９】
前記状態判別工程は、予め設定された前記筐体の３種以上の各状態にそれぞれ対応する各磁力の強度値と、前記磁力検出工程にて前記磁気センサにて検出した前記磁力の強度と、に基づいて、前記筐体の状態を判別する、
ことを特徴とする請求項１８記載の電子機器の状態判別方法。
【発明の詳細な説明】
【技術分野】
【０００１】
本発明は、電子機器にかかり、特に、相互に可動する一対の筐体を有する電子機器に関する。
【背景技術】
【０００２】
携帯電話機の構造としては、図１に示すように、一対の筐体５１０，５２０をヒンジ５３０で開閉自在に連結した折り畳み式のものが主流である。また、近年では、図２に示すように、一対の筐体６１０，６２０が積層状態から相互にスライド可動可能なスライド式のものもある。
【０００３】
そして、上述したような携帯電話機では、折り畳み状態やスライド状態といった姿勢に応じてメインディスプレイやサブディスプレイの表示状態を制御することを行っている。このため、携帯電話機の折り畳み状態やスライド状態といった姿勢状態を検出する必要が生じるが、その一手段として、磁気センサを用いたものがある。
【０００４】
例えば、折り畳み式携帯電話機では、図１に示すように、一方の筐体５２０内に磁気センサ５２１を装備し、他方の筐体５１０内に磁石５１１を装備している。そして、磁石５１１を、筐体５１０，５２０を折り畳んだときに磁気センサ５２１に近接する位置に装備している。また、スライド式の携帯電話機も同様に、図２に示すように、一方の筐体６２０内に磁気センサ６２１を装備し、他方の筐体６１０内に磁石６１１を装備している。そして、磁石６１１を、筐体６１０，６２０がスライド移動していない完全に積層状態のときに、上記磁気センサ６２１に近接する位置に装備している。これにより、磁気センサ６２１にて磁力の検出の有無に応じて、携帯電話機の開閉状態といった２つの姿勢状態を判別している。
【０００５】
そして、上述したスライド式携帯電話機は、近年ではさらに多様な姿勢に可動するよう構成されている。例えば、図３（ａ）の積層状態から図３（ｄ）に示すように略長方形状の筐体７１０，７２０の短辺方向へのスライドも可能なよう構成されている。また、図３（ｃ）に示すように、各筐体７１０，７２０の長辺をヒンジ７３０を介して開閉自在に係合することで、当該長辺部分を軸として開閉可動可能に構成されている。このように、完全に積層状態にある閉じた状態（図３（ａ））と、筐体の長手方向にスライドした縦スライド状態（図３（ｂ））と、筐体の短辺方向にスライドした横スライド状態（図３（ｄ））と、長辺にヒンジを有して反対側の長辺が回動端側となって開く開状態（図３（ｃ））と、いった４つの姿勢状態をとるものがある。
【０００６】
【特許文献１】特開２００６−１６６２４１号公報
【発明の開示】
【発明が解決しようとする課題】
【０００７】
ところが、上述した４つの姿勢状態をとることができる携帯電話機でそれぞれの姿勢状態を検出しようとした場合には、各姿勢状態を検出するためのセンサを設ける必要がある。すると、上記携帯電話機では、４つの姿勢状態を検出するために、２つ、３つ、さらにはそれ以上の個数の磁気センサを装備する必要が生じる。すると、検出構成が複雑となり、また、物理的な実装スペース、さらには、配線などの問題も生じる。具体的には、部品点数が増加することによるコストの増加が生じ、また、構成が複雑となりそれに伴う開発コストの増加という問題も生じる。さらには、携帯電話機では常に求められている小型化、薄型化の妨げともなる。
【０００８】
その一例として、特許文献１に開示の技術がある。この文献に開示の携帯電話機は、１つの磁石と３つの磁気センサを備えている。ところが、３つの磁気センサを装備していることから、部品コストが増加し、また、磁気センサには配線が必要となるため、それにもなう設計負担が生じる。
【０００９】
そして、上述した問題は、携帯電話機ばかりでなく、筐体が複数の状態を取ることが可能なノートパソコン、ＰＨＳ（Personal Handy phone System）、ＰＤＡ（Personal Data Assistance，Personal Digital Assistants：個人向け携帯型情報通信機器）などの電子機器でも、同様に生じうる。
【００１０】
このため、本発明の目的は、上述した課題である、部品コストの増加及び大型化を抑制しつつ、種々の状態を検出可能とすることにある。
【課題を解決するための手段】
【００１１】
かかる目的を達成するため本発明の一形態である電子機器は、
相互に係合し相対的に可動する一対の筐体と、一方の上記筐体に装備された磁力を検出する磁気センサと、当該磁気センサに対応して他方の上記筐体に装備された磁力を発生する磁石と、を備え、
上記磁気センサにて検出した上記磁力の強度に基づいて、上記筐体の３種以上の状態を判別する状態判別手段を備えた、
ことを特徴とする。
【００１２】
また、本発明の他の形態である携帯型情報処理端末は、
相互に係合し相対的に可動する一対の筐体と、一方の上記筐体に装備された磁力を検出する磁気センサと、当該磁気センサに対応して他方の上記筐体に装備された磁力を発生する磁石と、を備え、
上記磁気センサにて検出した上記磁力の強度に基づいて、上記筐体の３種以上の状態を判別する状態判別手段を備えた、
ことを特徴とする。
【００１３】
また、本発明の他の形態であるプログラムは、
相互に係合し相対的に可動する一対の筐体と、一方の上記筐体に装備された磁力を検出する磁気センサと、当該磁気センサに対応して他方の上記筐体に装備された磁力を発生する磁石と、を備えた電子機器に装備された演算装置に、
上記磁気センサにて検出した上記磁力の強度に基づいて、上記筐体の３種以上の状態を判別する状態判別手段、
を実現させるためのプログラムである。
【００１４】
また、本発明の他の形態である電子機器の状態判別方法は、
相互に係合し相対的に可動する一対の筐体と、一方の上記筐体に装備された磁力を検出する磁気センサと、当該磁気センサに対応して他方の上記筐体に装備された磁力を発生する磁石と、を備えた電子機器にて、
上記磁気センサにて磁力の強度を検出する磁力検出工程と、当該検出した上記磁力の強度に基づいて上記筐体の３種以上の状態を判別する状態判別工程と、
を有することを特徴とする。
【発明の効果】
【００１５】
本発明は、以上のように構成されることにより、センサの数を抑制しつつ電子機器の種々の筐体の状態を判別できるため、電子機器のコスト及び大型化を抑制することができる。
【発明を実施するための最良の形態】
【００１６】
本発明の一形態である電子機器は、
相互に係合し相対的に可動する一対の筐体と、一方の上記筐体に装備された磁力を検出する磁気センサと、当該磁気センサに対応して他方の上記筐体に装備された磁力を発生する磁石と、を備え、
上記磁気センサにて検出した上記磁力の強度に基づいて、上記筐体の３種以上の状態を判別する状態判別手段を備えた、
ことを特徴とする。
【００１７】
そして、上記電子機器では、
予め設定された上記筐体の３種以上の各状態にそれぞれ対応する各磁力の強度値を、上記筐体の各状態を判別するための各状態判別基準データとして記憶する状態判別基準記憶手段を備え、
上記状態判別手段は、上記各状態判別基準データと、上記磁気センサにて検出した上記磁力の強度と、に基づいて、上記筐体の状態を判別する、
ことを特徴とする。
【００１８】
さらに、上記電子機器では、
上記各状態判別基準データは、上記筐体の各状態にそれぞれ対応する各磁力の強度値をそれぞれ含むそれぞれ所定の範囲を有する値であり、
上記状態判別手段は、上記磁気センサにて検出した上記磁力の強度が、上記各状態判別基準データの所定の範囲内にあるにあるか否かによって、上記筐体の状態を判別する、
ことを特徴とする。
【００１９】
上記発明によると、まず、電子機器は、磁気センサにて磁力を検出すると、筐体の各状態に応じた磁力を検出する。そして、電子機器は、検出した磁力の強度に応じて、筐体の３種以上の状態を判別する。従って、１つの磁気センサにて種々の筐体の状態を判別可能としつつ、電子機器のコスト及び大型化を抑制することができる。
【００２０】
また、上記電子機器では、
上記筐体の３種以上の各状態時に上記磁気センサにてそれぞれ測定した各磁力の強度値を、上記筐体の各状態における上記各状態判別基準データとして上記状態判別基準記憶手段に記憶する状態判別基準設定手段を備えた、
ことを特徴とする。
【００２１】
また、上記電子機器では、
上記筐体の３種以上の各状態時に上記磁気センサにてそれぞれ測定した各磁力の強度値をそれぞれ含む各所定の範囲を有する値を、上記筐体の各状態における上記各状態判別基準データとして上記状態判別基準記憶手段に記憶する状態判別基準設定手段を備えた、
ことを特徴とする。
【００２２】
このように、予め筐体を各状態に設定し、このときに磁気センサにて検出した磁力の強度を測定することで、各電子機器ごとの各状態に対応した状態判別基準データを設定しておくことができる。これにより、電子機器の特定に対応して、精度よく筐体の各状態を判別することができる。
【００２３】
また、上記電子機器では、
上記状態判別手段による判別結果に応じて、上記筐体に装備された表示部の表示動作を制御する表示制御手段を備えた、
ことを特徴とする。
【００２４】
これにより、電子機器の筐体の各状態に対応して、表示部の表示状態を制御することができる。従って、ユーザの利便性の向上を図ることができる。
【００２５】
また、上記電子機器では、
上記状態判別手段は、上記一対の筐体が可動することによって変化する当該一対の筐体の姿勢状態を判別する、
ことを特徴とする。
【００２６】
また、上記電子機器では、
上記磁気センサと上記磁石とは、これらの距離が上記筐体の各姿勢状態毎に異なるよう上記筐体にそれぞれ配置されている、
ことを特徴とする。
【００２７】
また、上記電子機器では、
上記一対の筐体は、相互に積層された状態の閉状態と、当該閉状態から上記筐体の一辺方向に沿って相互にスライドした第一方向スライド状態と、上記閉状態から上記筐体の上記一辺とは垂直方向に沿って相互にスライドした第二方向スライド状態と、上記筐体の所定の辺に沿った軸を中心として相互に回転して開いた開状態と、の姿勢状態を取るよう構成されており、
上記状態判別手段は、上記磁気センサにて検出した上記磁力の強度に基づいて上記筐体が、上記開状態、上記第一方向スライド状態、上記第二方向スライド状態、上記開状態のいずれの姿勢状態であるかを判別する、
ことを特徴とする。
【００２８】
このようにすることで、筐体の各姿勢状態、例えば、上述した４種類の姿勢状態を、１つの磁気センサで判別することができる。
【００２９】
また、上記電子機器では、
上記一対の筐体が各姿勢状態の時に、上記磁気センサにて検出した磁力の強度値がそれぞれ異なるよう、別の磁石を上記他の筐体に設けた、
ことを特徴とする。
【００３０】
このように、さらに磁気センサにて磁力を検出可能な他の磁石を設けることで、各状態において検出可能な磁力を精度よく検出することができ、より高精度に姿勢状態を判別することができる。
【００３１】
また、本発明の他の態様に係る電子機器ユニットは、
上述した電子機器と、この電子機器と係合される係合部材を備え、
上記係合部材に、上記電子機器との係合時に上記磁気センサにて磁力を検出可能な他の磁石を設けた、
ことを特徴とする。
【００３２】
そして、上記電子機器ユニットでは、
上記係合部材は、上記電子機器の筐体に装着され当該筐体表面を覆うカバー部材である、
ことを特徴とする。
【００３３】
また、上記電子機器ユニットでは、
上記カバー部材は、当該カバー部材毎に当該カバー部材に設ける上記磁石の位置が異なる、
ことを特徴とする。
【００３４】
そして、上記電子機器ユニットでは、
上記係合部材は、上記電子機器に接続される充電器である、
ことを特徴とする。
【００３５】
これにより、上述したように電子機器の各姿勢状態を判別できるほか、１つの磁気センサにて、カバー部材や充電器との係合状態を判別できる。
【００３６】
また、本発明の他の形態である携帯型情報処理端末は、
相互に係合し相対的に可動する一対の筐体と、一方の上記筐体に装備された磁力を検出する磁気センサと、当該磁気センサに対応して他方の上記筐体に装備された磁力を発生する磁石と、を備え、
上記磁気センサにて検出した上記磁力の強度に基づいて、上記筐体の３種以上の状態を判別する状態判別手段を備えた、
ことを特徴とする。
【００３７】
また、本発明の他の形態であるプログラムは、
相互に係合し相対的に可動する一対の筐体と、一方の上記筐体に装備された磁力を検出する磁気センサと、当該磁気センサに対応して他方の上記筐体に装備された磁力を発生する磁石と、を備えた電子機器に装備された演算装置に、
上記磁気センサにて検出した上記磁力の強度に基づいて、上記筐体の３種以上の状態を判別する状態判別手段、
を実現させるためのプログラムである。
【００３８】
そして、上記プログラムでは、
上記状態判別手段は、予め設定された上記筐体の３種以上の各状態にそれぞれ対応する各磁力の強度値と、上記磁気センサにて検出した上記磁力の強度と、に基づいて、上記筐体の状態を判別する、
ことを特徴とする。
【００３９】
また、本発明の他の形態である電子機器の状態判別方法は、
相互に係合し相対的に可動する一対の筐体と、一方の上記筐体に装備された磁力を検出する磁気センサと、当該磁気センサに対応して他方の上記筐体に装備された磁力を発生する磁石と、を備えた電子機器にて、
上記磁気センサにて磁力の強度を検出する磁力検出工程と、当該検出した上記磁力の強度に基づいて上記筐体の３種以上の状態を判別する状態判別工程と、
を有することを特徴とする。
【００４０】
そして、上記状態判別方法では、
上記状態判別工程は、予め設定された上記筐体の３種以上の各状態にそれぞれ対応する各磁力の強度値と、上記磁力検出工程にて上記磁気センサにて検出した上記磁力の強度と、に基づいて、上記筐体の状態を判別する、
ことを特徴とする。
【００４１】
上述した構成を有する、携帯型情報処理端末、プログラム、又は、電子機器の状態判別方法、の発明であっても、上記電子機器と同様の作用を有するために、上述した本発明の目的を達成することができる。
【００４２】
以下、本発明に係る、電子機器、携帯型情報処理端末、プログラム、及び、電子機器の状態判別方法、の各実施形態について図１〜図２２を参照しながら説明する。なお、各実施形態では、本発明である電子機器の一例として、携帯電話機を例に挙げて説明するが、本発明を適用可能な電子機器は、いかなる電子機器であってもよい。つまり、一対の筐体が相互に可動する構成を有する、ノートパソコン、ＰＨＳ（Personal Handy phone System）、ＰＤＡ（Personal Data Assistance，Personal Digital Assistants：個人向け携帯型情報通信機器）、ポータブル音楽プレーヤー、といった携帯型情報処理端末であってもよい。
【００４３】
＜実施形態１＞
本発明の第１の実施形態を、図４乃至図１２を参照して説明する。図４乃至図５は、携帯電話機の構成及びスタイルの変化を示す図である。図６乃至図７は、携帯電話機の内部構成を示すブロック図である。図８は、携帯電話機に設定されるスタイルを検出する基準となるデータを説明する説明図である。図９乃至図１２は、携帯電話機の動作を示すフローチャートである。
【００４４】
［構成］
図４に示すように、本実施形態における携帯電話機１は、所定の厚みを有する略長方形形状の上側筐体１０と下側筐体２０といった一対の筐体を備えている。上記上側筐体１０は、後述するように外面側に位置する面に、第１の表示部となる第１のＬＣＤ１２と、第１の操作部となる十字キー１３を備えている。また、上側筐体１０は、後述するように内面側に位置する面、つまり、上記第１のＬＣＤ（liquid crystal display：液晶表示装置）１２が設けられた裏面に、第２の表示部となる第２のＬＣＤ１４を備えている。また、下側筐体２０は、後述するよう内面側に位置する面に、第２の操作部となるいわゆるＱＷＥＲＴＹキーボード２２を備えている。
【００４５】
さらに、一対の筐体１０，２０の長辺付近には、当該筐体１０，２０を長辺に沿って相互に回動するよう係合するヒンジ部３０を備えている。また、一対の筐体１０，２０は、相互に長辺方向、及び、短辺方向にそれぞれスライド可能なよう支持するスライド機構（図示せず）を備えている。
【００４６】
上記ヒンジ部３０やスライド機構により、本実施形態における携帯電話機は、図４に示すように、４つの姿勢状態（スタイル１，２，３，４）の形態に変形可能である。まず、通常状態では、図４（ａ）に示すように、相互に全体的に積層された状態である閉状態（スタイル１）の姿勢をとる。また、このスタイル１の状態から、図４（ｂ）に示すように、筐体１０，２０を相互に長辺方向（図４（ｂ）の矢印Ｙ２方向（一辺方向））にスライド可動することで、長辺方向にスライドした縦スライド状態（スタイル２（第一方向スライド状態））の姿勢をとる。また、上記閉状態であるスタイル１の状態から、図４（ｄ）に示すように、筐体１０，２０を相互に短辺方向（図４（ｄ）の矢印Ｙ４方向（長辺（一辺）とは垂直方向））にスライド可動することで、短辺方向にスライドした横スライド状態（スタイル４（第二方向スライド状態））の姿勢をとる。さらに、上記閉状態であるスタイル１の状態から、図４（ｃ）に示すように、筐体１０，２０を長辺方向に沿って設けられたヒンジ部３０を軸として相互に回動可動することで（図４（ｃ）の矢印Ｙ３方向）、相互に開いた開状態（スタイル３）の姿勢をとる。
【００４７】
なお、本実施形態では、説明の都合上、上記スタイル１の状態からのみ、スタイル２，３，４に変形可能であることとする。逆に、スタイル２，３，４からは、スタイル１の状態にのみ変形可能である。
【００４８】
また、本実施形態における携帯電話機は、図４に示すように、下側筐体２０の一端（上端）付近に磁気センサ２１を備えており、これに対応して、上側筐体１０の一端付近に磁石１１を備えている。具体的に、磁気センサ２１と磁石１１とは、図４（ａ）に示すように、スタイル１の閉状態であるときに、相互に対向するよう位置している。従って、図５（ａ）に示すように、磁気センサ２１と磁石１１との距離Ｄ１を、スタイル１の閉状態のときに、他のスタイル２，３，４の状態よりも最も短くなるよう配置している。そして、磁気センサ２１と磁石１１とが上述した位置関係にあることにより、図５（ｂ）に示すスタイル２の縦スライド状態であるときには、相互間の距離Ｄ２は最も長くなる。また、図５（ｃ）に示すスタイル３の開状態であるときには、磁気センサ２１と磁石１１との距離Ｄ３は、上記スタイル１の時の距離Ｄ１に次いで短くなる。そして、図５（ｄ）に示すスタイル４の横スライド状態であるときには、磁気センサ２１と磁石１１との距離Ｄ４は、上記スタイル３の時の距離Ｄ３よりも長く、上記スタイル４の時の距離Ｄ２により短くなる。以上をまとめると、各スタイル１，２，３，４における磁気センサ２１と磁石１１との距離Ｄ１，Ｄ２，Ｄ３，Ｄ４の関係は、Ｄ１＜Ｄ３＜Ｄ４＜Ｄ２となる。すると、この距離関係に対応して、磁気センサ２１が検出する磁力の強度は、逆に、スタイル１＞スタイル３＞スタイル４＞スタイル２の順となる。
【００４９】
次に、携帯電話機の構成について、図６乃至図７を参照して説明する。図６に示すように、携帯電話機は、上述した磁気センサ２１、磁石１１、ＬＣＤ１２，１４などに加え、電話機自体の動作制御を行う演算装置であるＣＰＵ５１と、データを記憶する記憶装置であるメモリ５２と、を備えている。また、携帯電話機による音声通話やデータ通信を実現するためのベースバンドＩＣ５３、ＲＦ（Radio Frequency）ＩＣ（integrated circuit）５４、アンテナ５５を備えている。また、携帯電話機は、電源を供給する電池パック５６と、当該電池パック５６から各構成に電源を供給する電源ＩＣ（integrated circuit）５７，５８を備えている。
【００５０】
なお、上述した磁気センサ２１は、上記電源ＩＣ５８から電圧が供給されることによって動作する。そして、磁気センサ２１は、磁石１１の磁気を検出し、当該検出した磁気の値を、ＣＰＵ（Central Processing Unit）５１に渡す。なお、ＣＰＵ５１では、磁気センサ２１から受け取った磁気の値を、Ａ／Ｄ（Analog／Digital）変換して処理する。
【００５１】
ここで、図７に、携帯電話機のＣＰＵ５１及びメモリ５２の詳細な構成を示す。この図に示すように、携帯電話機のＣＰＵ５１は、メモリ５２に記憶されたプログラムや外部から提供されたプログラムが組み込まれることによって構築された、状態判別基準設定部５１ａと、状態判別部５１ｂと、表示制御部５１ｃと、を備えている。また、メモリ５２は、状態判別基準記憶部５２ａを備えている。
【００５２】
上記状態判別基準設定部５１ａ（状態判別基準設定手段）は、後述するように磁気センサ２１にて検出した磁力の強度と比較するデータであり、携帯電話機の各状態を判別するための基準となる各状態判別基準データを設定する。具体的に、まず、状態判別基準設定部５１ａは、ユーザが携帯電話機を各スタイルの状態に設定し、このときの磁気センサ２１による磁力の強度を測定する。そして、各スタイルにて計測した磁力の値を中心値として、当該中心値から所定の値だけ上下に広げた所定の範囲を有する値（区間）を、各スタイルにおける状態判別基準データとして、状態判別基準記憶部５２ａ（状態判別基準記憶手段）に記憶する。
【００５３】
ここで、状態判別基準データの設定例を、図８に示す。なお、図８の縦軸は、磁気センサ２１にて検出した磁束密度の強度を示しており、上に向かうにつれて強度が強くなる。そして、符号Ｍｍａｘは、磁気センサ２１が測定可能な磁力の上限値を示し、符号Ｍｍｉｎは、磁気センサ２１が測定可能な磁力の下限値を示している。
【００５４】
例えば、図５（ａ）に示すスタイル１の閉状態では、磁気センサ２１にて図８に示すＭ１の値が検出されたとする。そして、この値Ｍ１を中心値として、その上下に予め設定されたα値だけ広げた区間Ｒ１（Ｍ１±αの範囲）を、スタイル１における状態判別基準データとする。なお、上記Ｍ１は、スタイル１の状態で磁気センサ２１にて複数回、磁力を計測した値の平均値を用いてもよい。そして、上述同様に、他のスタイル２，３，４の状態においても、状態判別基準データの設定を行う。
【００５５】
すると、図５を参照して説明したように、磁気センサ２１が検出する磁力の強度は、スタイル１＞スタイル３＞スタイル４＞スタイル２の順となるため、各スタイルにおける所定の範囲を有する状態判別基準データは、図８に示すように、区間Ｒ１（スタイル１）＞区間Ｒ３（スタイル３）＞区間Ｒ４（スタイル４）＞区間Ｒ２（スタイル２）の順となる。なお、ここでは、各スタイルにおける状態判別基準データを所定の範囲を有する値としたが、必ずしも範囲を有する必要はなく、各状態において測定した値そのものを状態判別基準データとしてもよい。また、上記状態判別基準データは、必ずしも携帯電話機で測定して設定する必要はなく、予め実験や理論計算などによって設定された値のデータを、メモリに記憶してもよい。
【００５６】
また、上記状態判別部５１ｂ（状態判別手段）は、磁気センサ２１にて検出した磁力の強度に基づいて、携帯電話機の筐体１０，２０がいかなる姿勢状態であるかを判別する。つまり、図４に示したスタイル１（閉状態）、スタイル２（縦スライド状態）、スタイル３（開状態）、スタイル４（横スライド状態）のどの状態にあるか、を判別する。具体的に、状態判別部５１ｂは、状態判別基準記憶部５２ａに記憶された各スタイルの各状態判別基準データである各区間Ｒ１，Ｒ２，Ｒ３，Ｒ４のうち、どの区間に磁気センサ２１にて検出した磁力の値が含まれるか、を判断する。そして、検出した磁力の値を含む区間に対応するスタイルを、携帯電話機の現在のスタイルであると判別する。つまり、磁気センサ２１にて検出した磁力の値が、図８に示す区間Ｒ１に含まれる場合には、携帯電話機のスタイルは、スタイル１（閉状態）であると判別する。また、磁気センサ２１にて検出した磁力の値が、図８に示す区間Ｒ３に含まれる場合には、携帯電話機のスタイルは、スタイル３（開状態）であると判別する。また、磁気センサ２１にて検出した磁力の値が、図８に示す区間Ｒ４に含まれる場合には、携帯電話機のスタイルは、スタイル４（横スライド状態）であると判別する。また、磁気センサ２１にて検出した磁力の値が、図８に示す区間Ｒ２に含まれる場合には、携帯電話機のスタイルは、スタイル２（横スライド状態）であると判別する。
【００５７】
また、上記表示制御部５１ｃ（表示制御手段）は、上記状態判別部５１ｂによる携帯電話機の姿勢状態の判別結果に応じて、ＬＣＤ１２，１４の表示動作を制御する。つまり、各状態に適切であると予め設定されている表示状態に制御する。例えば、ＬＣＤ１２，１４に、予め各姿勢状態毎に用意されたユーザインタフェース（ＵＩ）を、各姿勢状態毎に設定されたＬＣＤ１２，１４に表示する。さらに一例を挙げると、例えば、図４（ｃ）に示すスタイル３（開状態）であるときにだけＬＣＤ１４が外部に露出するため、当該ＬＣＤ１４の表示をオンに制御し、他のスタイル１，２，４のときには、ＬＣＤ１２だけをオンに制御する。なお、表示制御部５１ｃによる表示制御動作は、上述したものに限定されない。
【００５８】
［動作］
次に、上述した携帯電話機の動作を、図９乃至図１２を参照して説明する。図９乃至図１０は、状態判別基準データを設定時の動作を示しており、また、図１１乃至図１２は、携帯電話機の姿勢状態を判別するときの動作を示している。
【００５９】
まず、携帯電話機をユーザが使用する前に、スタイルごとに磁気センサ２１がどれくらいの測定値（磁力の強度）を返すかを電話機側に設定しておく必要がある。つまり、上述した状態判別基準データを設定する初期設定を行う必要があり、まずはこれについて説明する。なお、初期設定は、携帯電話機がユーザに渡る前に、製造者側における製造工程で行われるものとする。但し、この初期設定は、いかなるタイミングで実行されてもよく、携帯電話機を購入したユーザが行ってもよい。
【００６０】
まず、携帯電話機に初期設定指令が入力されると、携帯電話機はオペレータに対して各スタイルに変形するよう、表示データや音などで指令を発する。これに応じて、オペレータは、携帯電話機の筐体１０，２０をスタイル１の閉状態に変形させる（ステップＳ１）。そして、このときの磁気センサ２１の磁力の出力値を、ＣＰＵ５１（状態判別基準設定部５１ａ）が測定する（ステップＳ２）。この測定を数回実行し、その測定値の平均値Ｍ１を、図８に示す区間Ｒ１における中心値とする。そして、この中心値Ｍ１を中心として、その上下に予め設定されている一定値αを加減した区間Ｒ１を設定する（ステップＳ３）。その後、この区間Ｒ１を、スタイル１の状態判別基準データとして、メモリ５２（状態判別基準記憶部５２ａ）に記憶する（ステップＳ４）。
【００６１】
続いて、携帯電話機の筐体１０，２０を、オペレータがスタイル２の縦スライド状態に変形させる（ステップＳ５）。そして、上述同様に、磁気センサ２１の磁力の出力値を、ＣＰＵ５１が測定し（ステップＳ６）、この測定を数回実行する。その後、測定値の平均値Ｍ２を、図８に示す区間Ｒ２における中心値とし、その上下に予め設定されている一定値αを加減した区間Ｒ２を設定する（ステップＳ７）。そして、この区間Ｒ２を、スタイル２の状態判別基準データとして、メモリ５２に記憶する（ステップＳ８）。
【００６２】
続いて、携帯電話機の筐体１０，２０を、オペレータがスタイル３の開状態に変形させる（ステップＳ９）。そして、上述同様に、磁気センサ２１の磁力の出力値を、ＣＰＵ５１が測定し（ステップＳ１０）、この測定を数回実行する。その後、測定値の平均値Ｍ３を、図８に示す区間Ｒ３における中心値とし、その上下に予め設定されている一定値αを加減した区間Ｒ３を設定する（ステップＳ１１）。そして、この区間Ｒ３を、スタイル３の状態判別基準データとして、メモリ５２に記憶する（ステップＳ１２）。
【００６３】
最後に、携帯電話機の筐体１０，２０を、オペレータがスタイル４の横スライド状態に変形させる（ステップＳ１３）。そして、上述同様に、磁気センサ２１の磁力の出力値を、ＣＰＵ５１が測定し（ステップＳ１４）、この測定を数回実行する。その後、測定値の平均値Ｍ４を、図８に示す区間Ｒ４における中心値とし、その上下に予め設定されている一定値αを加減した区間Ｒ４を設定する（ステップＳ１５）。そして、この区間Ｒ４を、スタイル４の状態判別基準データとして、メモリ５２に記憶する（ステップＳ１６）。
【００６４】
以上により、携帯電話機の各スタイルを判別する基準となる状態判別基準データをそれぞれ設定でき（ステップＳ１７）、ユーザが使用可能な状態となる（ステップＳ１８）。
【００６５】
続いて、ユーザが携帯電話機を操作して、各スタイルの状態に可動させたときの動作を、図１１乃至図１２を参照して説明する。なお、上述したように、携帯電話機は、スタイル１の閉状態からのみ、他のスタイル２，３，４に可動可能であることとし、また、他のスタイル２，３，４からは、スタイル１にのみ可動可能であることとする。
【００６６】
はじめに、携帯電話機は、スタイル１の閉状態にあることとする（ステップＳ２１）。このとき、磁気センサ２１にて検出し（磁力検出工程）、ＣＰＵ５１（状態判別部５１ｂ）に出力する磁力の強度は、上述した区間Ｒ１の範囲の値である。従って、ＣＰＵ５１（状態判別部５１ｂ）は、携帯電話機１の筐体１０，２０がスタイル１の閉状態であると判別する（ステップＳ２２、状態判別工程）。そして、ＣＰＵ５１（表示制御部５１ｃ）は、判別したスタイル１に対応するスタイル１用のユーザインタフェース（ＵＩ）に、ＬＣＤ１２，１４の画面を更新する（ステップＳ２３、表示制御工程）。
【００６７】
続いて、ユーザが、携帯電話機をスタイル１の閉状態から他のスタイル２，３，４に変形し（ステップＳ２４）、また、各スタイル２，３，４からスタイル１の閉状態に戻す（ステップＳ２５）ときの動作（ステップＳ３０）を、図１２を参照して説明する。
【００６８】
まず、ユーザが携帯電話機をスタイル１からスタイル２に変形するときには、携帯電話機の筐体は、必ずスタイル１とスタイル２の中間的な状態を通過せざるを得ない（ステップＳ３１）。この場合、磁気センサ２１の出力する値は、区間Ｒ１からＲ４のどれにも当たらない値を出力する。従って、これを検出したＣＰＵ５１は（ステップＳ３２でＮ）、前状態であるスタイル１の状態のままとして待機する。一方、スタイル２への変形が完全に行われると（ステップＳ３３）、区間Ｒ２に相当する値を磁気センサ２１は出力するため（磁力検出工程）、ＣＰＵ５１（状態判別部５１ｂ）は、スタイル２の縦スライド状態であることを判別する（ステップＳ３４、状態判別工程）。そして、ＣＰＵ５１（表示制御部５１ｃ）は、判別したスタイル２に対応するスタイル２用のユーザインタフェース（ＵＩ）に、ＬＣＤ１２，１４の画面を更新する（ステップＳ３５、表示制御工程）。
【００６９】
その後、スタイル２から再びスタイル１に変形させることを考える。このとき、携帯電話機の筐体は、スタイル２とスタイル１の中間的な状態を通過し（ステップＳ３６）、区間Ｒ１からＲ４でないことを判断する（ステップＳ４９でＮ）。その後、磁気センサ２１の出力値が区間Ｒ１に相当し（ステップＳ４９でＹ）、携帯電話機がスタイル１へと変形することで（図１１のステップＳ２１）、ＣＰＵ５１は携帯電話機の状態がスタイル１であると判別する（図１１のステップＳ２２）。そして、ＣＰＵ５１（表示制御部５１ｃ）は、判別したスタイル１に対応するスタイル１用のユーザインタフェース（ＵＩ）に、ＬＣＤ１２，１４の画面を更新する（図１１のステップＳ２３）。
【００７０】
次に、ユーザが携帯電話機をスタイル１からスタイル３に変形するときには、携帯電話機の筐体は、必ずスタイル１とスタイル３の中間的な状態を通過せざるを得ない（ステップＳ３７）。この場合、磁気センサ２１の出力する値は、区間Ｒ１からＲ４のどれにも当たらない値を出力する。従って、これを検出したＣＰＵ５１は（ステップＳ３８でＮ）、前状態であるスタイル１の状態のままとして待機する。一方、スタイル３への変形が完全に行われると（ステップＳ３９）、区間Ｒ３に相当する値を磁気センサ２１は出力するため（磁力検出工程）、ＣＰＵ５１（状態判別部５１ｂ）は、スタイル３の開状態であることを判別する（ステップＳ４０、状態判別工程）。そして、ＣＰＵ５１（表示制御部５１ｃ）は、判別したスタイル３に対応するスタイル３用のユーザインタフェース（ＵＩ）に、ＬＣＤ１２，１４の画面を更新する（ステップＳ４１、表示制御工程）。
【００７１】
その後、スタイル３から再びスタイル１に変形させることを考える。このとき、携帯電話機の筐体は、スタイル３とスタイル１の中間的な状態を通過し（ステップＳ４２）、区間Ｒ１からＲ４でないことを判断する（ステップＳ４９でＮ）。その後、磁気センサ２１の出力値が区間Ｒ１に相当し（ステップＳ４９でＹ）、携帯電話機がスタイル１へと変形することで（図１１のステップＳ２１）、ＣＰＵ５１は携帯電話機の状態がスタイル１であると判別する（図１１のステップＳ２２）。そして、ＣＰＵ５１（表示制御部５１ｃ）は、判別したスタイル１に対応するスタイル１用のユーザインタフェース（ＵＩ）に、ＬＣＤ１２，１４の画面を更新する（図１１のステップＳ２３）。
【００７２】
次に、ユーザが携帯電話機をスタイル１からスタイル４に変形するときには、携帯電話機の筐体は、必ずスタイル１とスタイル４の中間的な状態を通過せざるを得ない（ステップＳ４３）。この場合、磁気センサ２１の出力する値は、区間Ｒ１からＲ４のどれにも当たらない値を出力する。従って、これを検出したＣＰＵ５１は（ステップＳ４４でＮ）、前状態であるスタイル１の状態のままとして待機する。一方、スタイル４への変形が完全に行われると（ステップＳ４５）、区間Ｒ４に相当する値を磁気センサ２１は出力するため（磁力検出工程）、ＣＰＵ５１（状態判別部５１ｂ）は、スタイル４の横スライド状態であることを判別する（ステップＳ４６、状態判別工程）。そして、ＣＰＵ５１（表示制御部５１ｃ）は、判別したスタイル４に対応するスタイル４用のユーザインタフェース（ＵＩ）に、ＬＣＤ１２，１４の画面を更新する（ステップＳ４７、表示制御工程）。
【００７３】
その後、スタイル４から再びスタイル１に変形させることを考える。このとき、携帯電話機の筐体は、スタイル４とスタイル１の中間的な状態を通過し（ステップＳ４８）、区間Ｒ１からＲ４でないことを判断する（ステップＳ４９でＮ）。その後、磁気センサ２１の出力値が区間Ｒ１に相当し（ステップＳ４９でＹ）、携帯電話機がスタイル１へと変形することで（図１１のステップＳ２１）、ＣＰＵ５１は携帯電話機の状態がスタイル１であると判別する（図１１のステップＳ２２）。そして、ＣＰＵ５１（表示制御部５１ｃ）は、判別したスタイル１に対応するスタイル１用のユーザインタフェース（ＵＩ）に、ＬＣＤ１２，１４の画面を更新する（図１１のステップＳ２３）。
【００７４】
以上のように、本実施形態によると、携帯電話機は、１つの磁気センサにて磁力を検出することのみで、筐体の４種の姿勢状態を判別ことができる。そして、これに伴い、ＬＣＤの表示状態を制御するなどの動作制御を行うことができる。その結果、多様な表示制御を実現しつつ、電子機器のコスト及び大型化を抑制することができる。
【００７５】
＜実施形態２＞
次に、本発明の第２の実施形態を、図１３を参照して説明する。図１３は、本実施形態における携帯電話機の構成及び状態の変化の様子を示す図である。
【００７６】
本実施形態における携帯電話機は、上記実施形態１におけるものとほぼ同様の構成を備えている。これに加え、本実施形態では、携帯電話機の上側筐体１０に、第２の磁石１１’（別の磁石）を備えている。つまり、本実施形態では、携帯電話機の下側筐体２０に設けられている磁気センサ２１にて磁力が検出される磁石１１，１１’を、上側筐体１０に２つ備えている。そして、磁気センサ２１と磁石１１の搭載位置は、実施形態１と同様に、各筐体２０，１０の一端（上端）付近であるが、第２の磁石１１’の搭載位置は、その反対側となる上側筐体１０の他端（下端）付近である。
【００７７】
このように、本実施形態では、上述したように第２の磁石１１’を設けることで、各スタイル１，２，３，４にて磁気センサ２１が検出する磁力の値が、実施形態１の場合とは異なる。つまり、磁気センサ２１は、磁石１１及び第２の磁石１１’による合成磁力を検出するため、各スタイル１，２，３，４において、検出できる磁力の強度が強くなる。そして、特に、図１３（ｂ）に示すスタイル２の縦スライド状態のときには、磁気センサ２１に第２の磁石１１’が近接するため、図１３（ｄ）に示すスタイル４の横スライド状態のときよりも、磁力の強度が強くなる。
【００７８】
一方で、上述したように第２の磁石１１’を設けた場合に、各スタイル１，２，３，４における合成磁力の値が重なる、あるいは、近接する場合には、検出した磁力の値から各スタイルを判別することができない。従って、各スタイル１，２，３，４における合成磁力の検出値がそれぞれ所定の値（２α）以上異なるよう、第２の磁石１１’を配置する必要がある。つまり、上述した状態判別基準設定部５１ａによって設定する各状態判別基準データである図８に示す各区間Ｒ１，Ｒ２，Ｒ３，Ｒ４が、それぞれ重なり合わずに設定できるよう、第２の磁石１１’を配置する。そして、例えば、図１３の場合には、各スタイルにおける各区間は、Ｒ１＞Ｒ２＞Ｒ３＞Ｒ４となってもよい。
【００７９】
＜実施形態３＞
次に、本発明の第３の実施形態を、図１４乃至図１８を参照して説明する。図１４は、携帯電話機の内部構成を示すブロック図である。図１５乃至図１８は、携帯電話機の動作を示すフローチャートである。
【００８０】
［構成］
本実施形態における携帯電話機は、図１４に示すように、上述した実施形態１におけるものとほぼ同一の構成を採っている。但し、本実施形態では、磁気センサ１２１とＣＰＵ１５１の構成が異なる。
【００８１】
そして、本実施形態における磁気センサ１２１は、検出した磁力の値から、携帯電話機の各スタイル（状態）を判別し、その判別結果を、各種割り込み信号としてＣＰＵ１５１に出力する機能を有する。つまり、本実施形態では、実施形態１にて説明したＣＰＵ５１が備える状態判別部５１ｂ（状態判別手段）が有する携帯電話機の各スタイルを判別する機能の一部を、磁気センサ１２１が備えている。
【００８２】
具体的に、磁気センサ１２１は、磁石１１の磁気を検出するためのセンサ部１２２と、Ａ／Ｄ変換器１２３と、メモリ１２４、測定値によって出力する割り込み信号を決定する比較器１２５と、を備えている。そして、上記メモリ１２４には、上記実施形態１で説明した図８に示す各スタイルに対応する各状態判別基準データである各区間Ｒ１，Ｒ２，Ｒ３，Ｒ４の値が、ＣＰＵ１５１に構築された状態判別基準設定部（図示せず）にて設定登録されている。つまり、本実施形態では、上述した状態判別基準記憶部５２ａを、磁気センサ１２１のメモリ１２４が備えている。
【００８３】
そして、比較器１２５は、センサ部１２２にて検出した各スタイルにおける磁力に値が、メモリ１２４に記憶された各区間Ｒ１，Ｒ２，Ｒ３，Ｒ４のいずれかに属する場合に、設定された各割り込み信号をＣＰＵ１５１に構築された状態判別部（図示せず）に出力する。例えば、センサ部１２２にて検出した磁力の値が、区間Ｒ１に属する場合には、割り込み信号１を出力し、区間Ｒ２、区間Ｒ３、区間Ｒ４にそれぞれ属する場合には、それぞれ割り込み信号２，３，４を出力する。
【００８４】
また、ＣＰＵ１５１には、実施形態１で図７を参照して説明したように、プログラムが組み込まれることによって構築された、状態判別基準設定部と、状態判別部と、表示制御部と、を備えている。
【００８５】
そして、ＣＰＵ１５１の状態判別基準設定部は、上記実施形態１の場合とは異なり、各スタイルのときに磁気センサ１２１にて検出した磁力の強度に応じて設定する携帯電話機の各状態を判別するための基準となる各状態判別基準データを、磁気センサ１２１のメモリ１２４内に設定記憶する機能を有する。
【００８６】
また、ＣＰＵ１５１の状態判別部は、上述したように、磁気センサ１２１から出力された各割り込み信号に基づいて、携帯電話機の各スタイルを判別する。例えば、割り込み信号１を受信すると、スタイル１と判別し、同様に、割り込み信号２，３，４を受信すると、スタイル２，３，４と判別する。
【００８７】
なお、本実施形態におけるＣＰＵ１５１は、省電力状態の設定が可能であり、かかる場合には、磁気センサ１２１からの磁力の測定値を監視していない。しかし、上述したように、磁気センサ１２１から割り込み信号を受信すると、省電力状態であっても起動し、携帯電話機の各スタイルの判別と、ＬＣＤ等の表示制御を行う。
【００８８】
［動作］
次に、上述した携帯電話機の動作を、図１５乃至図１８を参照して説明する。図１５乃至図１６は、状態判別基準データを設定時の動作を示しており、また、図１７乃至図１８は、携帯電話機の姿勢状態を判別するときの動作を示している。
【００８９】
まず、携帯電話機の筐体１０，２０を、オペレータがスタイル１の閉状態に変形させる（ステップＳ１０１）。このとき、磁気センサ１２１は、磁石１１の磁気を検出しており、具体的には、図８に示す区間Ｒ１の中心値Ｍ１を検出している（ステップＳ１０２）。そして、ＣＰＵ１５１（状態判別基準設定処理部）は、上記Ｍ１を中心として、その上下に予め設定されている一定値αを加減した区間Ｒ１（図８参照）を、スタイル１の状態判別基準データとして、磁気センサ１２１内のメモリ１２４（状態判別基準記憶部）に設定記憶する。同時に、ＣＰＵ１５１は、後に磁気センサ１２１が区間Ｒ１の範囲内の磁力を検出したときに、割り込み信号１をＣＰＵ１５１に出力するよう、磁気センサ１２１に設定する（ステップＳ１０３，Ｓ１０４）。
【００９０】
続いて、携帯電話機の筐体１０，２０を、オペレータがスタイル２に変形させ（ステップＳ１０５）、上述同様に、ＣＰＵ１５１にて、磁気センサ１２１の設定を行う。つまり、ＣＰＵ１５１は、このとき磁気センサ１２１にて検出した磁力であるＭ２を中心として、その上下に予め設定されている一定値αを加減した区間Ｒ２を、スタイル２の状態判別基準データとして、磁気センサ１２１内のメモリ１２４に設定記憶する。同時に、ＣＰＵ１５１は、後に磁気センサ１２１が区間Ｒ２の範囲内の磁力を検出したときに、割り込み信号２をＣＰＵ１５１に出力するよう、磁気センサ１２１に設定する（ステップＳ１０６，Ｓ１０７，Ｓ１０８）。
【００９１】
続いて、携帯電話機の筐体１０，２０を、オペレータがスタイル３に変形させ（ステップＳ１０９）、上述同様に、ＣＰＵ１５１にて、磁気センサ１２１の設定を行う。つまり、ＣＰＵ１５１は、このとき磁気センサ１２１にて検出した磁力であるＭ３を中心として、その上下に予め設定されている一定値αを加減した区間Ｒ３を、スタイル３の状態判別基準データとして、磁気センサ１２１内のメモリ１２４に設定記憶する。同時に、ＣＰＵ１５１は、後に磁気センサ１２１が区間Ｒ３の範囲内の磁力を検出したときに、割り込み信号３をＣＰＵ１５１に出力するよう、磁気センサ１２１に設定する（ステップＳ１１０，Ｓ１１１，Ｓ１１２）。
【００９２】
最後に、携帯電話機の筐体１０，２０を、オペレータがスタイル４に変形させ（ステップＳ１１３）、上述同様に、ＣＰＵ１５１にて、磁気センサ１２１の設定を行う。つまり、ＣＰＵ１５１は、このとき磁気センサ１２１にて検出した磁力であるＭ４を中心として、その上下に予め設定されている一定値αを加減した区間Ｒ４を、スタイル４の状態判別基準データとして、磁気センサ１２１内のメモリ１２４に設定記憶する。同時に、ＣＰＵ１５１は、後に磁気センサ１２１が区間Ｒ４の範囲内の磁力を検出したときに、割り込み信号４をＣＰＵ１５１に出力するよう、磁気センサ１２１に設定する（ステップＳ１１４，Ｓ１１５，Ｓ１１６）。
【００９３】
以上により、携帯電話機の各スタイルを判別する基準となる状態判別基準データ、及び、割り込み信号の出力を、それぞれ磁気センサ１２１側に設定でき（ステップＳ１１７）、ユーザが使用可能な状態となる（ステップＳ１１８）。
【００９４】
続いて、ユーザが携帯電話機を操作して、各スタイルの状態に可動させたときの動作を、図１７乃至図１８を参照して説明する。なお、上述したように、携帯電話機は、スタイル１の閉状態からのみ、他のスタイル２，３，４に可動可能であることとし、また、他のスタイル２，３，４からは、スタイル１にのみ可動可能であることとする。
【００９５】
はじめに、携帯電話機は、スタイル１の閉状態にあることとする（ステップＳ１２１）。このとき、磁気センサ１２１にて検出した磁力の強度は、上述した区間Ｒ１の範囲の値である。従って、磁気センサ１２１は、割り込み信号１をＣＰＵ１５１に出力する（ステップＳ１２２）。そして、これを受けたＣＰＵ１５１は、仮に省電力状態であったとしても、割り込み信号１を受信することにより省電力状態から復帰する。そして、受信した割り込み信号１から、携帯電話機の状態がスタイル１であることを判別し、判別したスタイル１に対応するスタイル１用のユーザインタフェース（ＵＩ）に、ＬＣＤ１２，１４の画面を更新する（ステップＳ１２３）。なお、その後、ユーザが携帯電話機の使用を控えていると、再び省電力状態に遷移する。
【００９６】
続いて、ユーザが、携帯電話機をスタイル１の閉状態から他のスタイル２，３，４に変形し（ステップＳ１２４）、また、各スタイル２，３，４からスタイル１の閉状態に戻す（ステップＳ１２５）ときの動作（ステップＳ１３０）を、図１８を参照して説明する。
【００９７】
まず、ユーザが携帯電話機をスタイル１からスタイル２に変形するときには、携帯電話機の筐体は、必ずスタイル１とスタイル２の中間的な状態を通過せざるを得ない（ステップＳ１３１）。この場合、磁気センサ１２１で検出する値は、区間Ｒ１からＲ４のどれにも当たらない（ステップＳ１３２でＮ）。一方、スタイル２への変形が完全に行われると（ステップＳ１３３）、区間Ｒ２に相当する値を磁気センサ１２１が検出するため、当該磁気センサ１２１は、割り込み信号２をＣＰＵ１５１に出力する（ステップＳ１３４）。そして、これを受けたＣＰＵ１５１は、仮に省電力状態であったとしても、割り込み信号２を受信することにより省電力状態から復帰する。そして、受信した割り込み信号２から、携帯電話機の状態がスタイル２であることを判別し、判別したスタイル２に対応するスタイル２用のユーザインタフェース（ＵＩ）に、ＬＣＤ１２，１４の画面を更新する（ステップＳ１３５）。
【００９８】
その後、スタイル２から再びスタイル１に変形させることを考える。このとき、携帯電話機の筐体は、スタイル２とスタイル１の中間的な状態を通過し（ステップＳ１３６）、区間Ｒ１からＲ４でないことを判断する（ステップＳ１４９でＮ）。その後、磁気センサ１２１による検出値が区間Ｒ１に相当し（ステップＳ１４９でＹ）、携帯電話機がスタイル１へと変形することで（図１７のステップＳ１２１）、磁気センサ１２１は割り込み信号１をＣＰＵ１５１に出力する（ステップＳ１２２）。そして、これを受けたＣＰＵ１５１は、仮に省電力状態であったとしても、割り込み信号１を受信することにより省電力状態から復帰する。そして、受信した割り込み信号１から、携帯電話機の状態がスタイル１であることを判別し、判別したスタイル１に対応するスタイル１用のユーザインタフェース（ＵＩ）に、ＬＣＤ１２，１４の画面を更新する（ステップＳ１２３）。
【００９９】
次に、ユーザが携帯電話機をスタイル１からスタイル３に変形するときには、携帯電話機の筐体は、必ずスタイル１とスタイル３の中間的な状態を通過せざるを得ない（ステップＳ１３７）。この場合、磁気センサ１２１で検出する値は、区間Ｒ１からＲ４のどれにも当たらない（ステップＳ１３８でＮ）。一方、スタイル３への変形が完全に行われると（ステップＳ１３９）、区間Ｒ３に相当する値を磁気センサ１２１が検出するため、当該磁気センサ１２１は、割り込み信号３をＣＰＵ１５１に出力する（ステップＳ１４０）。そして、これを受けたＣＰＵ１５１は、仮に省電力状態であったとしても、割り込み信号３を受信することにより省電力状態から復帰する。そして、受信した割り込み信号３から、携帯電話機の状態がスタイル３であることを判別し、判別したスタイル３に対応するスタイル３用のユーザインタフェース（ＵＩ）に、ＬＣＤ１２，１４の画面を更新する（ステップＳ１４１）。なお、スタイル３から再びスタイル１に変形させる場合は、上記と同様であるため、その詳細な動作説明は省略する（ステップＳ１４２、Ｓ１４９、図１７のステップＳ１２１以降）。
【０１００】
次に、ユーザが携帯電話機をスタイル１からスタイル４に変形するときには、携帯電話機の筐体は、必ずスタイル１とスタイル４の中間的な状態を通過せざるを得ない（ステップＳ１４３）。この場合、磁気センサ１２１で検出する値は、区間Ｒ１からＲ４のどれにも当たらない（ステップＳ１４４でＮ）。一方、スタイル４への変形が完全に行われると（ステップＳ１４５）、区間Ｒ４に相当する値を磁気センサ１２１が検出するため、当該磁気センサ１２１は、割り込み信号４をＣＰＵ１５１に出力する（ステップＳ１４６）。そして、これを受けたＣＰＵ１５１は、仮に省電力状態であったとしても、割り込み信号４を受信することにより省電力状態から復帰する。そして、受信した割り込み信号４から、携帯電話機の状態がスタイル４であることを判別し、判別したスタイル４に対応するスタイル４用のユーザインタフェース（ＵＩ）に、ＬＣＤ１２，１４の画面を更新する（ステップＳ１４７）。なお、スタイル４から再びスタイル１に変形させる場合は、上記と同様であるため、その詳細な動作説明は省略する（ステップＳ１４８、Ｓ１４９、図１７のステップＳ２１以降）。
【０１０１】
＜実施形態４＞
本発明の第４の実施形態を、図１９乃至図２０を参照して説明する。図１９は、携帯電話機の構成を示す図である。図２０は、状態判別基準データの一例を示す図である。
【０１０２】
本実施形態における携帯電話機は、図１９（ａ）に示すように、ヒンジ部２３０を介して相互に回動可能な一対の筐体２１０，２２０を有する折り畳み式の携帯電話機である。この携帯電話機は、下側筐体２２０に、磁気センサ２２１を備えており、この磁気センサ２２１の位置に対応して、上側筐体２１０に磁石２１１を備えている。そして、折り畳み状態であるときに磁気センサ２２１にて検出する磁力の値は、例えば、図２０に示すようにＭ１０である場合に、当該Ｍ１０を中心として、その上下に予め設定されている一定値αを加減した区間Ｒ１０を、折り畳み状態の状態判別基準データとして、メモリ内に記憶しておく。
【０１０３】
また、本実施形態では、図１９（ｂ）に示すように、携帯電話機の筐体の外表面側に着脱自在な装飾用カバー２４０（カバー部材（係合部材））を備えており、電子機器ユニットを構成している。そして、この装飾用カバー２４０は、図１９（ｂ）に示すように、ヒンジ部２３０付近であり、上記下側筐体２２０に装備された磁気センサ２２１と折り畳み時に対向する位置に、第２の磁石２４１（他の磁石）を備えている。このため、携帯電話機が折り畳み状態であるときに、磁気センサ２２１では、上側筐体２１０の磁石２１１と装飾用カバー２４０の磁石２４１との合成磁力を検出することとなる。例えば、図１９（ｂ）のときに磁気センサ２２１にて検出する磁力の値が、図２０に示すように、装飾用カバー２４０を装着していないときの値であるＭ１０よりも強いＭ１１である場合に、当該Ｍ１１を中心として、その上下に予め設定されている一定値αを加減した区間Ｒ１１を、装飾用カバー２４０装着時の折り畳み状態の状態判別基準データとして、メモリ内に記憶しておく。
【０１０４】
さらに、本実施形態では、図１９（ｃ）に示すように、さらに別の装飾用カバー２４０’（カバー部材（係合部材））を備えている。この図１９（ｃ）に示す装飾用カバー２４０’も、上述同様に、ヒンジ部２３０付近であり、上記下側筐体２２０に装備された磁気センサ２２１と折り畳み時に近接する位置に、第２の磁石２４１’（他の磁石）を備えている。但し、この図１９（ｃ）に示す装飾用カバー２４０’に設けられた第２の磁石２４１’は、図１９（ｂ）に示す装飾用カバー２４０に設けられた第２の磁石２４１とは位置が異なる。従って、携帯電話機が折り畳み状態であるときに磁気センサ２２１にて検出する磁力の値は、装着する装飾用カバー２４０，２４０’によって異なる。具体的に、携帯電話機が折り畳み状態であるときに、磁気センサ２２１では、上側筐体２１０の磁石２１１と装飾用カバー２４０’の磁石２４１’との合成磁力を検出することとなる。例えば、図１９（ｃ）のときに磁気センサ２２１にて検出する磁力の値が、図２０に示すように、装飾用カバー２４０を装着していないときの値であるＭ１０よりも強く、装飾用カバー２４０を装着しているときの値Ｍ１１よりも弱いＭ１２である場合に、当該Ｍ１２を中心として、その上下に予め設定されている一定値αを加減した区間Ｒ１２を、装飾用カバー２４０’装着時の折り畳み状態の状態判別基準データとして、メモリ内に記憶しておく。
【０１０５】
以上のように状態判別基準データを設定しておくことで、後に磁気センサ２２１にて検出した磁力の値が、上記区間Ｒ１０，Ｒ１１，Ｒ１２のいずれかであるかを判断して、携帯電話機の状態を判別することができる。つまり、磁気センサ２２１にて検出した磁力の値が区間Ｒ１０に位置する場合には、装飾用カバーが装着されていない、と判別する。また、磁気センサ２２１にて検出した磁力の値が区間Ｒ１１に位置する場合には、装飾用カバー２４０が装着されている、と判別する。さらに、磁気センサ２２１にて検出した磁力の値が区間Ｒ１２に位置する場合には、別の装飾用カバー２４０’が装着されている、と判別する。このように、携帯電話機の３種以上の状態を判別することができる。なお、装飾用カバーは、さらに多種類用意されていてもよい。その場合には、それぞれに装備される磁石の位置を変える。
【０１０６】
そして、携帯電話機のＣＰＵに、装飾用カバー２４０，２４０’毎に対応してＬＣＤに表示するコンテンツやユーザインタフェース（ＩＵ）を予め用意しておくことで、上記判別結果に応じて、表示制御を行うことができ、ユーザ満足度の向上を図ることができる。
【０１０７】
＜実施形態５＞
本発明の第５の実施形態を、図２１乃至図２２を参照して説明する。図２１は、携帯電話機の構成を示す図である。図２２は、状態判別基準データの一例を示す図である。
【０１０８】
本実施形態における携帯電話機は、図２０（ａ）に示すように、ヒンジ部３３０を介して相互に回動可能な一対の筐体３１０，３２０を有する折り畳み式の携帯電話機である。この携帯電話機は、下側筐体３２０に、磁気センサ３２１を備えており、この磁気センサ３２１の位置に対応して、上側筐体３１０に磁石３１１を備えている。そして、折り畳み状態であるときに磁気センサ２２１にて検出する磁力の値は、例えば、図２２に示すようにＭ２０である場合に、当該Ｍ２０を中心として、その上下に予め設定されている一定値αを加減した区間Ｒ２０を、折り畳み状態の状態判別基準データとして、メモリ内に記憶しておく。
【０１０９】
また、本実施形態では、図２１（ａ）に示すように、充電時に装着する充電器である卓上ホルダ４００（係合部材）を備えており、電子機器ユニットを構成している。なお、この卓上ホルダ４００は、充電機能を実現すべく、携帯電話機への電力供給の接点となる重電端子４０２と、電源コンセントに接続されるＡＣ（alternating current）アダプタ４１０と、を備えている。
【０１１０】
また、卓上ホルダ４００は、携帯電話機が充電時に装着されたときに、当該携帯電話機に装備されている磁気センサ３２１に近接する位置に、内部に磁石４０１を備えている。従って、充電時には、携帯電話機の磁気センサ３２１にて、卓上ホルダ４００に装備されている磁石４０１の磁力も検出することができる。
【０１１１】
具体的に、図２１（ａ）に示すように、携帯電話機を折り畳んだ状態で卓上ホルダ４００に装着した場合には、磁気センサ３２１は、携帯電話機自体の上側筐体３１０の磁石３１１と卓上ホルダの３２１との合成磁力を検出することとなる。そして、このとき、磁気センサ３２１にて検出する磁力の値が、図２２に示すように、卓上ホルダ４００に装着していないときであって、折り畳み状態であるときの値であるＭ２０よりも強いＭ２１である場合に、当該Ｍ２１を中心として、その上下に予め設定されている一定値αを加減した区間Ｒ２１を、折り畳み状態で卓上ホルダ４００装着時の状態判別基準データとして、メモリ内に記憶しておく。
【０１１２】
また、図２１（ｂ）に示すように、携帯電話機を開いた状態で卓上ホルダ４００に装着した場合には、磁気センサ３２１は、卓上ホルダの３２１の磁力のみを検出することとなる。そして、このとき、磁気センサ３２１にて検出する磁力の値が、図２２に示すように、卓上ホルダ４００に装着していないときであって折り畳み状態であるときの値であるＭ２０よりも弱いＭ２２である場合に、当該Ｍ２２を中心として、その上下に予め設定されている一定値αを加減した区間Ｒ２２を、開いた状態で卓上ホルダ４００装着時の状態判別基準データとして、メモリ内に記憶しておく。
【０１１３】
以上のように状態判別基準データを設定しておくことで、後に磁気センサ２２１にて検出した磁力の値が、上記区間Ｒ２０，Ｒ２１，Ｒ２２のいずれかであるかを判断して、携帯電話機の状態を判別することができる。つまり、磁気センサ３２１にて検出した磁力の値が区間Ｒ２０に位置する場合には、卓上ホルダ４００に装着されていない、と判別する。また、磁気センサ３２１にて検出した磁力の値が区間Ｒ２１に位置する場合には、折り畳み状態で卓上ホルダ４００に装着されている、と判別する。さらに、磁気センサ３２１にて検出した磁力の値が区間Ｒ２２に位置する場合には、開いた状態で卓上ホルダ４００に装着されている、と判別する。このように、携帯電話機の３種以上の状態を判別することができる。
【０１１４】
そして、携帯電話機のＣＰＵに、上記３つの状態に対応して対応して、上側筐体３１０の両面にそれぞれ設けられたＬＣＤ３１２，３１４に表示するコンテンツやユーザインタフェース（ＩＵ）を予め用意しておくことで、上記判別結果に応じて、表示制御を行うことができ、ユーザ満足度の向上を図ることができる。
【産業上の利用可能性】
【０１１５】
本発明は、携帯電話機、ノートパソコン、ＰＨＳ（Personal Handy phone System）、ＰＤＡ（Personal Data Assistance，Personal Digital Assistants：個人向け携帯型情報通信機器）、ポータブル音楽プレーヤー、ポータブルテレビなどに適用することができ、産業上の利用可能性を有する。
【図面の簡単な説明】
【０１１６】
【図１】本発明に関連する携帯電話機の構成を示す図である。
【図２】本発明に関連する携帯電話機の構成を示す図である。
【図３】本発明に関連する携帯電話機の構成を示す図である。
【図４】実施形態１における携帯電話機の構成及び状態の変化を示す図である。
【図５】図４に開示した携帯電話機の各状態における磁気センサと磁石との距離を示す図である。
【図６】図４に開示した携帯電話機の内部構成を示すブロック図である。
【図７】図６に開示した携帯電話機のＣＰＵ及びメモリの構成を示す機能ブロック図である。
【図８】図７に開示したメモリに記憶される状態判別基準データの一例を示す図である。
【図９】図４に開示した携帯電話機の動作を示すフローチャートであり、状態判別基準を設定するときの動作を示す。
【図１０】図４に開示した携帯電話機の動作を示すフローチャートであり、状態判別基準を設定するときの動作を示す。
【図１１】図４に開示した携帯電話機の動作を示すフローチャートであり、状態を判別するときの動作を示す。
【図１２】図４に開示した携帯電話機の動作を示すフローチャートであり、状態を判別するときの動作を示す。
【図１３】実施形態２における携帯電話機の構成及び状態の変化を示す図である。
【図１４】実施形態３における携帯電話機の内部構成を示すブロック図である。
【図１５】図１４に開示した携帯電話機の動作を示すフローチャートであり、状態判別基準を設定するときの動作を示す。
【図１６】図１４に開示した携帯電話機の動作を示すフローチャートであり、状態判別基準を設定するときの動作を示す。
【図１７】図１４に開示した携帯電話機の動作を示すフローチャートであり、状態を判別するときの動作を示す。
【図１８】図１４に開示した携帯電話機の動作を示すフローチャートであり、状態を判別するときの動作を示す。
【図１９】実施形態４における携帯電話機の構成及び状態の変化を示す図である。
【図２０】実施形態４における携帯電話機のメモリに記憶される状態判別基準データの一例を示す図である。
【図２１】実施形態５における携帯電話機の構成及び状態の変化を示す図である。
【図２２】実施形態５における携帯電話機のメモリに記憶される状態判別基準データの一例を示す図である。
【符号の説明】
【０１１７】
１０，２１０，３１０  上側筐体
１１，１１’，２１１，２４１，２４１’，３１１，４０１  磁石
１２，１４，３１２，３１４  ＬＣＤ
１３  十字キー
２０，２２０，３２０  下側筐体
２１，１２１，２２１，３２１  磁気センサ
２２  キーボード
３０  ヒンジ部
５１  ＣＰＵ
５１ａ  状態判別基準設定部
５１ｂ  状態判別部
５１ｃ  表示制御部
５２  メモリ
５２ａ  状態判別基準記憶部
５３  ベースバンド部
５４  ＲＦＩＣ
５５  アンテナ
５６  電池パック
５７，５８  電源ＩＣ
２４０，２４０’  装飾用カバー
４００  卓上ホルダ
【図１】
2010081138.tif 000003
【図２】
2010081138.tif 000004
【図３】
2010081138.tif 000005
【図４】
2010081138.tif 000006
【図５】
2010081138.tif 000007
【図６】
2010081138.tif 000008
【図７】
2010081138.tif 000009
【図８】
2010081138.tif 000010
【図９】
2010081138.tif 000011
【図１０】
2010081138.tif 000012
【図１１】
2010081138.tif 000013
【図１２】
2010081138.tif 000014
【図１３】
2010081138.tif 000015
【図１４】
2010081138.tif 000016
【図１５】
2010081138.tif 000017
【図１６】
2010081138.tif 000018
【図１７】
2010081138.tif 000019
【図１８】
2010081138.tif 000020
【図１９】
2010081138.tif 000021
【図２０】
2010081138.tif 000022
【図２１】
2010081138.tif 000023
【図２２】
2010081138.tif 000024